(57)【要約】【課題】微物吸着シートの清掃を簡単にかつ綺麗に行える微物吸着シート用清掃装置を提供する。【解決手段】微物吸着シートＳを上下から挟んでその付着物を粘着性により除去する上下の粘着ロール３Ａ・３Ｂをフレーム１に回転自在に軸支するとともに、これらの間を通った微物吸着シートを巻き取る巻取ロール５を、フレーム１に回転自在にかつ着脱可能に軸支する。微物吸着シートＳを上下の粘着ロール３Ａ・３Ｂ間に案内するガイドテーブル２１を、上下の粘着ロール３Ａ・３Ｂの接触面からの延長線に沿ってフレーム１から延出する開き位置と、フレーム１に対して閉じる閉じ位置とに開閉可能にフレーム１に装着する。ガイドテーブル２１を開き位置に保持する伸縮ステー２３ｂ・２３ｃをガイドテーブル２１とフレーム１間に架設する。【選択図】図１
2008296160.tif 000002
【特許請求の範囲】
【請求項１】
微物吸着シートを上下から挟んでその付着物を粘着性により除去する上下の粘着ロールをフレームに回転自在に軸支するとともに、これらの間を通った微物吸着シートを巻き取る巻取ロールを、前記フレームに回転自在にかつ着脱可能に軸支し、微物吸着シートを上下の粘着ロール間に案内するガイドテーブルを、上下の粘着ロールの接触面からの延長線に沿って前記フレームから延出する開き位置と、フレームに対して閉じる閉じ位置とに開閉可能にフレームに装着したことを特徴とする微物吸着シート用清掃装置。
【請求項２】
ガイドテーブルを開き位置に保持する伸縮ステーを、ガイドテーブルとフレーム間に架設したことを特徴とする請求項１に記載の微物吸着シート用清掃装置。
【請求項３】
巻取ロールの両端を着脱自在に保持するためその両端とそれぞれ嵌合する第１及び第２のロールホルダをフレームに回転自在に軸受けし、そのうちの一方のロールホルダにハンドルを設け、他方のロールホルダは、軸方向に摺動可能としてスプリングにて一方のロールホルダ側へ付勢したことを特徴とする請求項１又は２に記載の微物吸着シート用清掃装置。
【請求項４】
上側の粘着ロールの両端の軸受を、フレームに設けられた縦長のガイドスリットに上下摺動可能に嵌合させることにより、上側の粘着ロールをフレームに対して上下動可能としたことを特徴とする請求項１、２又は３に記載の微物吸着シート用清掃装置。
【請求項５】
微物吸着シートを巻取ロールに押し付ける巻取補助ロールを、フレームに設けられた両側の縦長のガイドスリットに沿って上下摺動する両側の摺動軸受に軸支し、これら摺動軸受をスプリングにて巻取ロール側へ付勢したことを特徴とする請求項１、２、３又は４に記載の微物吸着シート用清掃装置。
【発明の詳細な説明】
【技術分野】
【０００１】
本発明は、静電気にて微物を吸着した後の微物吸着シートを清掃するための清掃装置に関する。
【背景技術】
【０００２】
本出願人は、特許文献１（特公平８−７１１４号公報）に記載されているような微物吸着採取装置を提供している。この微物吸着採取装置は、高電圧電源等を内蔵した本体と、これとケーブルにて接続された帯電電極バーと、可撓性の微物吸着シート（吸着採取シート）とからなる、これを使用するには、帯電電極バーよりコロナ放電させながら微物吸着シートを走査するように帯電させることにより、微物吸着シートに微物を静電気にて吸着させるもので、犯罪捜査における微物採取に広く使用されている。
【０００３】
その微物吸着シートは、使用して微物を採取した後に清掃しておかなければならないが、専用の清掃装置がないために手拭き作業で行っており、面倒な手作業であるとともに、拭き残しやシートの損傷が生じていた。
【０００４】
シート材を粘着ローラを使用して清掃する装置に関する従来技術としては、特許文献２（実開昭６２−１７９５号公報）や特許文献３（特開２００６−２９３５９号公報）があるが、これらは、上下の粘着ローラの間にシート材を通すだけのものに過ぎない。
【特許文献１】特公平８−７１１４号公報
【特許文献２】実開昭６２−１７９５号公報（段落００２２〜００２４、図２）
【特許文献３】特開２００６−２９３５９号公報
【発明の開示】
【発明が解決しようとする課題】
【０００５】
本発明の課題は、特許文献１に開示されているような微物吸着シートを清掃するための清掃装置であって、その清掃を簡単にかつ綺麗に行える清掃装置を提供することにある。
【課題を解決するための手段】
【０００６】
請求項１に係る本発明の微物吸着シート用清掃装置は、微物吸着シートを上下から挟んでその付着物を粘着性により除去する上下の粘着ロールをフレームに回転自在に軸支するとともに、これらの間を通った微物吸着シートを巻き取る巻取ロールを、フレームに回転自在にかつ着脱可能に軸支し、微物吸着シートを上下の粘着ロール間に案内するガイドテーブルを、上下の粘着ロールの接触面からの延長線に沿ってフレームから延出する開き位置と、フレームに対して閉じる閉じ位置とに開閉可能にフレームに装着したことを特徴とする。
【０００７】
請求項１に従属する請求項２に係る発明は、ガイドテーブルを開き位置に保持する伸縮ステーを、ガイドテーブルとフレーム間に架設したことを特徴とする。
【０００８】
同じく請求項３に係る発明は、巻取ロールの両端を着脱自在に保持するためその両端とそれぞれ嵌合する第１及び第２のロールホルダをフレームに回転自在に軸受けし、そのうちの一方のロールホルダにハンドルを設け、他方のロールホルダは、軸方向に摺動可能としてスプリングにて一方のロールホルダ側へ付勢したことを特徴とする。
【０００９】
同じく請求項４に係る発明は、上側の粘着ロールの両端の軸受を、フレームに設けられた縦長のガイドスリットに上下摺動可能に嵌合させることにより、上側の粘着ロールをフレームに対して上下動可能としたことを特徴とする。
【００１０】
同じく請求項５に係る発明は、微物吸着シートを巻取ロールに押し付ける巻取補助ロールを、フレームに設けられた両側の縦長のガイドスリットに沿って上下摺動する両側の摺動軸受に軸支し、これら摺動軸受をスプリングにて巻取ロール側へ付勢したことを特徴とする。
【発明の効果】
【００１１】
請求項１に係る発明によれば、微物吸着シートをガイドテーブルで案内しながら上下の粘着ロール間に送ると、微物吸着シートの両面の付着物が上下の粘着ロールの粘着性によりこれら粘着ローラに転移して清掃され、巻取ロールに巻き取られるので、微物吸着シートの清掃を簡単かつ綺麗に行え、また、巻き取ることにより塵埃の再付着がない。ガイドテーブルは開閉できるので、使用しないときは邪魔にならないように閉じておくことができる。
【００１２】
請求項２に係る発明によれば、ガイドテーブルを伸縮ステーにより開き位置に保持することができるので、微物吸着シートを上下の粘着ロール間にスムーズに送り込むことができる。
【００１３】
請求項３に係る発明によれば、巻取ロールの両端を両ロールホルダに嵌合させてこれらの間に着脱自在に保持でき、その際に、ハンドルのあるロールホルダとは反対側のロールホルダをスプリングに抗して退避させることができるので、巻取ロールの交換を容易に行うことができる。
【００１４】
請求項４に係る発明によれば、上側の粘着ロールをフレームに設けられた縦長のガイドスリットに沿って上下動できるので、微物吸着シートを上下の粘着ロール間に通したり外したりする操作を簡単に行える。
【００１５】
請求項５に係る発明によれば、微物吸着シートを巻取ロールに押し付ける巻取補助ロールを、フレームに設けられた縦長のガイドスリットに沿って上下動可能とし、しかも、スプリングにて巻取ロール側へ付勢したので、微物吸着シートを的確に巻き取ることができるとともに、微物吸着シートの先端部を巻取ロールへ巻き付ける際に、その操作を容易に行える。
【発明を実施するための最良の形態】
【００１６】
次に、本発明の実施例を図面に基づいて詳細に説明する。
【実施例】
【００１７】
この微物吸着シート用清掃装置は、図１〜図３に示すように、フレーム１に全構成部品を装着していて、その下面の４箇所に備えたキャスタ２により全体を自在に移動可能となっている。その移動のために、フレーム１の上端部の左右両側に把手１ｅが設けられている。
【００１８】
フレーム１は、底板１ａと、左右両側の側板１ｂ・１ｃと、これら側板１ｂ・１ｃ間をその上端と下端のそれぞれで、しかも前後それぞれで保持するステー１ｄとで構成され、両側の側板１ｂ・１ｃ間に、上から順に上側粘着ロール３Ａ、下側粘着ロール３Ｂ、ガイドロール４、巻取ロール５、巻取補助ロール６を軸支している。
【００１９】
上下の粘着ロール３Ａ・３Ｂは、実質的に同じ構造及び同じ外径で、図４に示すように、円筒芯３ａの外周に粘着性と弾性を有する粘着層（クリーニング層）３ｂを形成したもので、その粘着性により塵埃等を付着するクリーニング作用を有している。
【００２０】
下側粘着ロール３Ｂは、その軸７ａの両端部に設けた軸受７ｂ・７ｃを両側の側板１ｂ・１ｃに設けられた縦長のガイドスリット９ｂ・９ｃに上下摺動可能に嵌合させることにより、回転自在で上下にも移動可能となっているとともに、上側粘着ロール３Ａも、その軸８ａの両端部に設けた軸受８ｂ・８ｃを両側のガイドスリット９ａ・９ｂに上下摺動可能に嵌合させることにより、回転自在で上下にも移動可能となっている。
【００２１】
両側のガイドスリット９ｂ・９ｃは、両側の側板１ｂ・１ｃの上端で開放し、そこから下に真っ直ぐ延びて下端縁がＵ形になって終端しており、下側粘着ロール３Ｂの両端の軸受７ｂ・７ｃは、両側のガイドスリット９ｂ・９ｃのＵ形の下端縁で受け止められ、上側粘着ロール３Ａは、下側粘着ロール３Ｂ上に単に重ね合わせてあるだけである。従って、上下の粘着ロール３Ａ・３Ｂは、それらの軸受７ｂ・７ｃ、８ｂ・８ｃと共に両側の側板１ｂ・１ｃから取り外すことができるようになっている。
【００２２】
下側粘着ロール３Ｂの軸７ａの一端には、側板１ｃの外側において回転ノブ１０が固着されており、この回転ノブ１０を摘んで下側粘着ロール３Ｂを回すことにより、これと共に上側粘着ロール３Ａも従動して回転させることができる。
【００２３】
一方、上側粘着ロール３Ａに対しては、両側の側板１ｂ・１ｃのそれぞれの外面にロール離脱レバー１１が回動自在に枢着されており、このロール離脱レバー１１で上側粘着ロール３Ａの軸８ａを持ち上げて、ロール離脱レバー１１の遊端部を両側の側板１ｂ・１ｃの外面に突設されたストッパ１２に係合させることにより、上側粘着ロール３Ａを、下側粘着ロール３Ｂから所要高さまで上方へ離れる離脱位置にロール離脱レバー１１にて保留することができるようになっている。
【００２４】
ガイドロール４は、上下の粘着ロール３Ａ・３Ｂに比べてはるかに小径で、下側粘着ロール３Ｂから見てその斜め下方位置で両側の側板１ｂ・１ｃに回転自在に直接軸支されている。
【００２５】
巻取ロール５は、フレーム１の両側の側板１ｂ・１ｃにそれぞれ回転自在に軸受けされたロールホルダ１３ｂ・１３ｃに両端を嵌合させることにより、これらに着脱自在に保持される。
【００２６】
すなわち、これらロールホルダ１３ｂ・１３ｃは、図５及び図６に示すように、巻取ロール５の両端をそれぞれ受け入れることができるキャップ状（フランジ付きの円板状）で、そのうちの一方のロールホルダ１３ｃは、片側の側板１ｃに取り付けた軸受１４ｃに回転自在にしかも軸線方向に摺動自在に支承されているとともに、スプリング（コイル状スプリング）１５により反対側のロールホルダ１３ｂ方向へ付勢されている。
【００２７】
これに対して反対側のロールホルダ１３ｂは、反対側の側板１ｂに取り付けた軸受１４ｂに回転自在に支承されているが、軸方向には不動で、このロールホルダ１３ｂの軸には、側板１ｂの外側において巻取ハンドル１６が固着されている。また、このロールホルダ１３ｂの内側面には、巻取ロール５を嵌合させた状態でその相対回転を防止するため、図７に示すように、巻取ロール５の一端の両側に設けられたキー溝５ａと係合する板状のキー１７が設けられている。
【００２８】
巻取補助ロール６は、巻取ロール５に比べてはるかに小径で、フレーム１の両側の側板１ｂ・１ｃに対して回転自在でしかも上下動可能となっている。すなわち、巻取補助ロール６は、その軸６ａの両端を、両側の側板１ｂ・１ｃに設けられたガイドスリット１８ｂ・１８ｃに沿ってそれぞれ上下摺動する摺動軸受１９ｂ・１９ｃに軸受けされている。これら摺動軸受１９ｂ・１９ｃは、両側のガイドスリット１８ｂ・１８ｃ内においてその下端と摺動軸受１９ｂ・１９ｃとの間にそれぞれ配設したスプリング２０ｂ・２０ｃにより上方へ付勢されている。これにより、巻取補助ロール６は、巻取ロール５の真下でこれに向かって付勢されており、軸６ａが両側のロールホルダ１３ｂ・１３ｃの外周縁（フランジの外周面）に当接するところが上限となっている。
【００２９】
このような各種のロールの他に、フレーム１には、清掃対象の微物吸着シートＳを上下の粘着ロール３Ａ・３Ｂ間に案内するガイドテーブル２１が装着されている。すなわち、このガイドテーブル２１は、その基端をフレーム１の両側の側板１ｂ・１ｃ間に架設した導入案内板１ｆに蝶番２２にて上下回動自在に枢支されている。そして、このガイドテーブル２１と両側の側板１ｂ・１ｃとの間には両側の伸縮ステー２３ｂ・２３ｃが張架されている。すなわち、各伸縮ステー２３ｂ・２３ｃは、スプリングを内蔵したシリンダ部２４の基端を側板１ｂ・１ｃにそれぞれ枢着し、伸縮ロッド２５の先端をガイドテーブル２１とそれぞれピン連結してある。
【００３０】
このような装着構造により、ガイドテーブル２１は、導入案内板１ｆから垂直に懸垂して両側の伸縮ステー２３ｂ・２３ｃの伸縮ロッド２４を収縮させ、フレーム１に対して閉じた状態となる閉じ姿勢と、両側の側板１ｂ・１ｃの間において、上下の粘着ロール３Ａ・３Ｂの接触面からの延長線に沿って水平に延出して導入案内板１ｆの上面と面一となり、伸縮ロッド２４を伸長させた両側の伸縮ステー２３ｂ・２３ｃにてその状態を保持される開き姿勢とに切り換えることができるようになっている。
【００３１】
このガイドテーブル２１の両側の側縁部２１ａは、微物吸着シートを上下の粘着ロール３Ａ・３Ｂ間に真っ直ぐ案内できるように、上側にＬ形に折り曲げてあり、また、ガイドテーブル２１の遊端中央に把手２１ｂが突設されている。
【００３２】
このように構成されたこの微物吸着シート用清掃装置にて微物吸着シートＳを清掃するには、最初のセット操作として、ロール離脱レバー１１で上側粘着ロール３Ａを持ち上げておき、開き姿勢にしたガイドテーブル２１の上面及び導入案内板１ｆの上面に沿って微物吸着シートＳを上下の粘着ロール３Ａ・３Ｂ間に案内したら、ロール離脱レバー１１による持ち上げを解除して上側粘着ロール３Ａを下側粘着ロール３Ｂ上に乗せるように重ね、これら上下の粘着ロール３Ａ・３Ｂにて微物吸着シートＳを挟む。回転ノブ１０を摘んで下側粘着ロール３Ｂを回転させると、微物吸着シートＳの表裏両面に付着していた付着物が、上下の粘着ロール３Ａ・３Ｂの外周面に付着転移しながら微物吸着シートが送られる。
【００３３】
そこで、微物吸着シートＳをカイドロール４を経由して巻取ロール５の外周まで伸ばし、巻取補助ロール６にて巻取ロール５に押し付けておいて巻取ハンドル１６にて巻取ロール５を回転させると、以後、微物吸着シートＳは巻取ロール５に巻き取られながら、表裏両面に付着していた付着物が上下の粘着ロール３Ａ・３Ｂの外周面に付着転移して清掃される。
【００３４】
微物吸着シートＳを巻き取った巻取ロール５を両側のロールホルダ１３ｂ・１３ｃから外すには、一方のロールホルダ１３ｃをスプリング１５に抗して軸線方向に移動させてこのロールホルダ１３ｃとの嵌合を外し、他方のロールホルダ１３ｂに対して、キー溝５ａとキー１７との係合を外すとともに、ロールホルダ１３ｂとの嵌合も外す。以後、清掃を終えた微物吸着シートＳは巻取ロール５に巻き付けた状態で取り扱われる。
【００３５】
微物吸着シートＳからのゴミ等が付着した上下の粘着ロール３Ａ・３Ｂは、フレーム１の両側の側板１ｂ・１ｃから外し、クリーナ液などを用いて随時清掃する。
【図面の簡単な説明】
【００３６】
【図１】本発明の実施例である微物吸着シート用清掃装置の全体斜視図である。
【図２】その一部を切欠した斜視図である。
【図３】その側面図である。
【図４】その縦断側面図である。
【図５】その一部を切欠した背面図である。
【図６】その分解斜視図である。
【図７】巻取ロールと片方のロールホルダとの関係を示す部分斜視図である。
【符号の説明】
【００３７】
１  フレーム
１ａ  底板
１ｂ・１ｃ  側板
１ｄ  ステー
１ｅ  把手
１ｆ  導入案内板
２  キャスタ
３Ａ  上側粘着ロール
３Ｂ  下側粘着ロール
３ａ  円筒芯
３ｂ  粘着層
４  ガイドロール
５  巻取ロール
５ａ  キー溝
６  巻取補助ロール
７ａ  軸
７ｂ・７ｃ  軸受
８ａ  軸
８ｂ・８ｃ  軸受
９ｂ・９ｃ  ガイドスリット
１０  回転ノブ
１１  ロール離脱レバー
１２  ストッパ
１３ｂ・１３ｃ  ロールホルダ
１４ｂ・１４ｃ  軸受
１５  スプリング
１６  巻取ハンドル
１７  キー
１８ｂ・１８ｃ  ガイドスリット
１９ｂ・１９ｃ  摺動軸受
２０ｂ・２０ｃ  スプリング
２１  ガイドテーブル
２２  蝶番
２３ｂ・２３ｃ  伸縮ステー
２４  シリンダ部
２５  伸縮ロッド
Ｓ  微物吸着シート
【図１】
2008296160.tif 000003
【図２】
2008296160.tif 000004
【図３】
2008296160.tif 000005
【図４】
2008296160.tif 000006
【図５】
2008296160.tif 000007
【図６】
2008296160.tif 000008
【図７】
2008296160.tif 000009